(57)【要約】【課題】１２セグメントと番組に欠落が有った場合であっても、ユーザーにとって利便性のある録画装置を提供すること。【解決手段】１２セグメントの放送番組および１セグメントの放送番組を受信可能な受信部と、前記受信部で受信した１２セグメントの放送番組および１セグメントの放送番組を録画可能な記録部と、前記記録部に記録されている１２セグメントの放送番組または１セグメントの放送番組のいずれかを再生する再生部と、を備え、前記再生部が前記記録部に記録されている１２セグメントの放送番組を再生している場合において、その再生している１２セグメントの放送番組に欠落区間が存在する場合においては、前記再生部は、その欠落区間を再生する場合において、１２セグメントの放送番組に代えて１セグメントの放送番組を再生する。【選択図】図２
2010268340.tif 000002
【特許請求の範囲】
【請求項１】
第１の放送番組と、前記第１の放送番組と同一チャンネルで放送され符号化方式の異なる同一コンテンツである第２の放送番組を受信して同時に録画可能な録画装置であって、
前記第１の放送番組および前記第２の放送番組を受信可能な受信部と、
前記受信部で受信した前記第１の放送番組および前記第２の放送番組を録画可能な記録部と
前記記録部に記録されている第１の放送番組または第２の放送番組のいずれかを再生する再生部と、を備え、
前記再生部が前記記録部に記録されている第１の放送番組を再生している場合において、その再生している第１の放送番組に欠落区間が存在する場合においては、
前記再生部は、その欠落区間を再生する場合において、第１の放送番組に代えて第２の放送番組を再生する、
録画装置。
【請求項２】
前記再生部は、
第１の放送番組の欠落区間が終了した場合には、第２の放送番組に代えて第１の放送番組を再生する、請求項１に記載の録画装置。
【請求項３】
前記記録部は、前記第１の放送番組及び前記第２の放送番組を記録している場合において、
前記第１の放送番組の受信環境が変化した時刻を記録する切換時刻情報として記録する、請求項１に記載の録画装置。
【請求項４】
前記再生部は、前記切換時刻情報に基づき、第１の放送番組を再生するかもしくは第２の放送番組を再生するかを切り換える、請求項３に記載の録画装置。
【請求項５】
放送番組を記録可能な記録部と、
前記記録部に記録された放送番組を記録メディアにダビング可能なダビング部とを備え、
前記記録部に第１の放送番組と、前記第１の放送番組と同一チャンネルで放送され符号化方式の異なる同一コンテンツである第２の放送番組が記録されており、
前記第１の放送番組にチャプタ情報が付与されている場合において、
前記ダビング部が前記第２の放送番組をダビングする場合に、前記第１の放送番組に付与されているチャプタ情報に基づき、前記第２の放送番組に対応するチャプタ情報を作成し、その作成したチャプタ情報を前記第２の放送番組とともにダビングする、ダビング装置。
【請求項６】
請求項５に記載のダビング装置であって、
前記第１の放送番組に欠落期間がある場合においては、前記第１の放送番組の欠落期間に関する情報及び前記第１の放送番組に付与されているチャプタ情報に基づき、前記第２の放送番組に対応するチャプタ情報を作成する、ダビング装置。
【請求項７】
請求項６に記載のダビング装置であって、
前記第２の放送番組に欠落期間がある場合においては、
前記第１の放送番組の欠落期間に関する情報、前記第１の放送番組の欠落期間に関する情報及び前記第１の放送番組に付与されているチャプタ情報に基づき、前記第２の放送番組に対応するチャプタ情報を作成する、ダビング装置。
【発明の詳細な説明】
【技術分野】
【０００１】
本発明は、同一チャンネルを複数の帯域に分割し、該帯域毎に異なる符号化方式を採用できる地上デジタル放送において、同一チャンネルで異なる符号化方式の番組（１２セグメントが割り当てられた番組と１セグメントが割り当てられた番組）を同時記録し、そのコンテンツを再生することと、記録した１セグメント放送番組を記録メディアにダビングすることを特徴とする録画装置に関する。
【背景技術】
【０００２】
現在、地上デジタル放送では１つのチャンネルが１３個のセグメントに分割され、１２個のセグメントを用いた、高画質、高音質の放送（以下１２セグメントと称する）と１個のセグメントを用いた移動体（携帯機器）向けの放送（以下、１セグメントと称する）の２種類の放送が提供されている。１セグメント放送では主に、１２セグメント放送の同一番組であるサイマル放送が提供されている。この１２セグメント番組と１セグメント番組を同時に記録する方式が実現されている（例えば、特許文献１に記載）。
【先行技術文献】
【特許文献】
【０００３】
【特許文献１】特開２００５−２０４０６４号公報
【発明の概要】
【発明が解決しようとする課題】
【０００４】
しかしながら、１２セグメント番組と１セグメント番組の同時録画において、部分的に１２セグメント番組を録画できなかった場合、部分的に記録できなかった部分を視聴するためには、ユーザーが１セグメント記録番組に切り換えて再生視聴し、欠落部分に移動させる必要があった。
また、１セグメント番組をメモリカードなどに転送する場合に、１２セグメント番組のＣＭマーカーや再生レジューム情報などのチャプタ情報を引き継ぎたいが、１２セグメント放送の受信状態が悪く録画できなかった場合、１２セグメント録画番組と１セグメント録画番組にずれが発生し、うまく引き継げないため、ＣＭマーカーなどの情報を有効に使えず利便性を損なう。
【０００５】
本発明は、１２セグメント番組と１セグメント番組の同時録画の場合において、１２セグメントと番組に欠落が有った場合であっても、ユーザーにとって利便性のある録画装置を提供することを目的とする。
【課題を解決するための手段】
【０００６】
上記課題を解決する為、本発明の録画装置は、１２セグメントの放送番組と、１２セグメントの放送番組と同一チャンネルで放送され符号化方式の異なる同一コンテンツである１セグメントの放送番組を受信して同時に録画可能な録画装置０であって、１２セグメントの放送番組および１セグメントの放送番組を受信可能な受信部と、前記受信部で受信した１２セグメントの放送番組および１セグメントの放送番組を録画可能な記録部と、前記記録部に記録されている１２セグメントの放送番組または１セグメントの放送番組のいずれかを再生する再生部と、を備え、前記再生部が前記記録部に記録されている１２セグメントの放送番組を再生している場合において、その再生している１２セグメントの放送番組に欠落区間が存在する場合においては、前記再生部は、その欠落区間を再生する場合において、１２セグメントの放送番組に代えて１セグメントの放送番組を再生する。
【発明の効果】
【０００７】
複数の階層を持つ放送の同時録画の場合において、一方に欠落が有った場合であっても、ユーザーにとって利便性を損なわないように再生させることができる。
【図面の簡単な説明】
【０００８】
【図１】本発明の実施の形態における録画再生装置１００の構成を示す図
【図２】記録中の１２セグメントと１セグメントの受信状態チェックフローチャート
【図３】受信状態の変化による録画制御と録画コンテンツの再生制御の概略図
【図４】１２セグメント録画コンテンツと１セグメント録画コンテンツの自動切換え再生制御フローチャート
【図５】１２セグメント記録コンテンツのチャプタ情報を１セグメント記録コンテンツに引き継ぐフローチャート
【図６】１２セグメント録画欠落発生でのチャプタ引継ぎ概略図
【図７】１２セグメント・１セグメント録画欠落発生でのチャプタ引継ぎ概略図
【発明を実施するための形態】
【０００９】
以下本発明を実施するための最良の形態について、図面を参照しながら説明する。
【００１０】
（実施の形態１）
図１は、本実施形態に係る録画再生装置１００の構成を示す図である。図１に示すように録画再生装置１００は、アンテナ１０１と、チューナ１０２、復調部１０３，記録部１０４、ＡＶデコーダ１０５、出力部１０６、リモコン受光部１０７、ＣＰＵ１０８、記録媒体受付部１０９で構成される。また、ユーザーはリモコン１１０を用いて、録画再生装置１００の動作を制御することができる。
【００１１】
アンテナ１０１は、複数チャンネルが混在した放送用の電波を受信する。チューナ１０２は、放送用の電波の中からＣＰＵ１０８で指定された特定チャンネルを選択し、指定された特定のチャンネルの信号を出力する。
【００１２】
復調部１０３は、受信した特定チャンネルの信号をＣＰＵ１０８の指示に基づきＯＦＤＭ復調し、１２セグメントのＭＰＥＧ―ＴＳと１セグメントのＭＰＥＧ―ＴＳを出力する。
【００１３】
記録部１０４はＣＰＵ１０８の指示により、１２セグメントと１セグメントのＭＰＥＧ−ＴＳデータを記録する。再生時には記録部１０４に記録されたＭＰＥＧ−ＴＳデータが読み出される。記録部１０４は、例えば、ハードディスクが該当する。
【００１４】
ＡＶデコーダ１０５はＣＰＵ１０８の指示により、入力した１２セグメントと１セグメントのＭＰＥＧ−ＴＳをデコードし、映像データと音声データをデジタルデータとして出力する。出力部１０６は、入力した映像と音声のデジタルデータを所定の形式に変換し出力する。出力部１０６は、例えばＨＤＭＩ端子が該当する。
【００１５】
リモコン１１０はユーザーが録画再生装置１００を操作するためのリモコン信号を出力する。リモコン受光部１０７は、リモコン１１０から出力されたリモコン信号を受光し、機器操作用のリモコンコードとして出力する。
【００１６】
ＣＰＵ１０８は、リモコン受光部１０７より出力されるリモコンコードの解析及びユーザーの各操作に従い、選局動作・復調動作・記録再生動作・ＡＶデコード動作及び記録メディアへの記録動作など、録画再生装置１００を制御する。
【００１７】
記録媒体受付部１０９は、挿入される記録メディアを受け付け、記録メディアへの記録を行う。記録媒体受付部１０９が受け付ける記憶メディアは、ＤＶＤディスクやブルーレイディスクに代表されるディスク型の記憶メディアでもよいし、ＳＤカードなどに代表されるカード型の記録メディアでも良い。
【００１８】
ユーザーによるダビング要求を受け付けた場合には、記録部１０４に記録されている１セグメントのＭＰＥＧ−ＴＳを、記録媒体受付部１０９に挿入されている記録メディアにダビングを行う。なお、復調部１０３から出力される１２セグメントのＭＰＥＧ―ＴＳと１セグメントのＭＰＥＧ―ＴＳは、記録媒体受付部１０９に挿入されるメディアに記録しても良い。また、再生時には記録媒体受付部１０９に挿入されたメディアからデータを読み出しても良い。
【００１９】
図２は記録中の１２セグメントと１セグメントの受信状態チェックフローチャートを示す図である。
図２のように１２セグメント放送と１セグメント放送を同時録画している場合に、録画再生装置１００は１２セグメントと１セグメントの受信状態に応じて録画制御を実施する。なお、録画中には図２に記載のチェックフローを繰り返す。
【００２０】
まず、ＣＰＵ１０８は復調部１０３における復調の状態を確認することにより、選局しているチャンネルの１セグメントと１２セグメントの受信状態を確認する（Ｓ２０１）ことにより、１セグメント、１２セグメントの受信状態を判断する（Ｓ２０２）。１セグメントと１２セグメントの双方の受信状態が良好な場合は、１２セグメント受信不可からの変化のタイミングか否かの判断を行う（Ｓ２０３）。１２セグメント受信不可からの変化のタイミングで無かった場合には、１セグメントと１２セグメント両方のストリームを録画するようＣＰＵ１０８は記録部１０４を制御する（Ｓ２０５）。１２セグメント受信不可からの変化のタイミングであった場合には、ＣＰＵ１０８は１２セグメントの録画を再開するように、記録部１０４に指示する。また、１２セグメントの録画を再開した時間を記録部１０４に記録する（Ｓ２０４）。その後、１セグメント、１２セグメント両方のストリームを録画するようＣＰＵ１０８は記録部１０４を制御する。その後、１セグメント、１２セグメント両方のストリームを録画するようＣＰＵ１０８は記録部１０４を制御する（Ｓ２０５）。その後、ＣＰＵ１０８は録画が終了したかを判断する。録画が終了している場合は、記録中の１２セグメント・１セグメントのチェックフローを終了する。録画が終了していない場合は、再び受信感度を検出する（Ｓ２０１）。
【００２１】
１セグメント、１２セグメントの受信状態を判断した場合に（Ｓ２０２）１２セグメントが受信可能でなかった場合には、１２セグメント受信不可からの変化のタイミングか否かの判断を行う（Ｓ２０６）
１２セグメント受信不可からの変化のタイミングであった場合には、ＣＰＵ１０８は１２セグメントの録画を中止するように、記録部１０４に指示する。また、１２セグメントの録画を中止した時間を記録部１０４に記録する（Ｓ２０７）。１２セグメント受信不可からの変化のタイミングで無かった場合には、そのまま次のステップへと進む。
【００２２】
次に、ＣＰＵ１０８は復調部１０３において、１セグメントが受信可能か否かの判断を行う（Ｓ２０８）。１セグメント受信が可能な場合、１セグメント録画が再開されたか否かを判断する（Ｓ２０９）。１セグメント録画が再開された場合には、ＣＰＵ１０８は記録部１０４にその再開した時間をメモリする。一方、１セグメント録画が再開されたのではなく、既に継続している場合は、時間をメモリしない。
ＣＰＵ１０８は、１２セグメントストリームは録画ポーズを行い、１セグメントストリームは録画をするように記録部１０４を制御する（Ｓ２１１）。その後、ＣＰＵ１０８は録画が終了したかを判断する。録画が終了している場合は、記録中の１２セグメント・１セグメントのチェックフローを終了する。録画が終了していない場合は、再び受信感度を検出する（Ｓ２０１）。
【００２３】
一方、１セグメント受信が可能でない場合（Ｓ２０８）、ＣＰＵ１０８は１セグメント録画が中断開始かを判断する（Ｓ２１２）。
【００２４】
１セグメント録画が中断開始であった場合には、ＣＰＵ１０８は記録部１０４にその中断を開始した時間をメモリする（Ｓ２１３）。１セグメント録画が中断開始でなかった場合には、そのまま次のステップに進む。そして、１セグメントと１２セグメント両方のストリームを録画ポーズするようにＣＰＵ１０８は記録部１０４を制御する（Ｓ２１４）。その後、ＣＰＵ１０８は録画が終了したかを判断する。録画が終了している場合は、記録中の１２セグメント・１セグメントのチェックフローを終了する。録画が終了していない場合は、再び受信感度を検出する（Ｓ２０１）。
【００２５】
図３は本実施の形態における受信状態の変化による録画制御と録画コンテンツの再生制御の概略図である。時刻Ｔ３００では、１２セグメント、１セグメントがともに受信が可能である。このような場合においては、図２において説明したように、１２セグメントと１セグメントの両方を録画する。時刻Ｔ３０１では、１２セグメントの受信状態が悪くなり、１２セグメントが受信可能な状態から受信不可能な状態へと遷移している。この場合には、１２セグメントストリームの録画を中断する。時刻Ｔ３０２では、１２セグメントだけではなく、１セグメントも受信不可能になっている。この場合には、１２セグメントの録画だけではなく１セグメントの録画も中断する。時刻Ｔ３０３では、１セグメントが受信可能となる。この場合、１セグメントの録画を再開する。時刻Ｔ３０４では、１２セグメントの受信が可能となっている。この場合、１２セグメントの録画を再開する。
【００２６】
このよう録画した場合、時刻Ｔ３００から時刻Ｔ３０１においては、１２セグメントと１セグメントの両方が録画されている。時刻Ｔ３０１から時刻Ｔ３０２においては、１２セグメントが録画されておらず、１セグメントのみが録画されている。時刻Ｔ３０２から時刻Ｔ３０３においては、１２セグメントと１セグメントの両方の録画が中止されている。時刻Ｔ３０３から時刻Ｔ３０４においては、１２セグメントが録画されておらず、１セグメントのみが録画されている。時刻Ｔ３０４以降においては、１２セグメントと１セグメントの両方が録画されている。
【００２７】
録画再生装置１００がこのように録画したコンテンツを再生する場合の動作を、図３の再生動作を用いて説明する。録画再生装置１００はＴ３００からＴ３０１までは１２セグメントコンテンツを再生する。録画再生装置１００はＴ３０１まで再生すると、１セグメントコンテンツに再生を切り替える。録画再生装置１００はＴ３０２まで１セグメントコンテンツを再生する。Ｔ３０２からＴ３０３については、１２セグメントコンテンツも１セグメントコンテンツも記録されていないので、コンテンツの再生はスキップされる。よって、録画再生装置１００は１セグメントコンテンツをＴ３０２まで再生した後、Ｔ３０３までスキップし、１セグメント再生動作を継続する。録画再生装置１００はＴ３０４以降は１２セグメントコンテンツを再生する。このようにコンテンツを再生すると、ユーザーは自動で録画できたコンテンツすべてを高画質優先で視聴が可能になる。
【００２８】
図４は前記のようなコンテンツの再生をするための１２セグメント録画コンテンツと１セグメント録画コンテンツの自動切換え再生制御フローチャートである。
【００２９】
まず、ＣＰＵ１０８はコンテンツを再生中において１セグメント録画コンテンツか１２セグメント録画コンテンツのどちらを再生しているか判断する（Ｓ４０１）。１２セグメントコンテンツ再生の場合、ＣＰＵ１０８は１２セグメントのコンテンツの欠落地点かどうか確認する（Ｓ４０２）。ここで、１２セグメントのコンテンツの欠落地点とは、例えば、図３のＴ３０１のように、１２セグメントの受信状態が悪化した時刻を示す。また、この時刻を受信悪化時刻とする。ＣＰＵ１０８は、１２セグメントのコンテンツの欠落地点でなかった場合には、再生を切り換えずに１２セグメントのコンテンツの再生を継続する（Ｓ４０４）。一方、ＣＰＵ１０８は、１２セグメントのコンテンツの欠落地点であった場合には、１セグメントコンテンツ再生に切り換える（Ｓ４０５）。
【００３０】
一方、ＣＰＵ１０８はコンテンツを再生中において１セグメント録画コンテンツか１２セグメント録画コンテンツのどちらを再生しているか判断した場合に（Ｓ４０１）、１２セグメントコンテンツ再生でない場合、ＣＰＵ１０８は１２セグメントのコンテンツの欠落終了地点を判断するかどうか確認する（Ｓ４０２）。ここで、１２セグメントのコンテンツの欠落終了地点とは、例えば、図３のＴ３０４のように、１２セグメントの受信状態が良化した時刻を示す。また、この時刻を受信良化時刻とする。
【００３１】
ＣＰＵ１０８は、１２セグメントのコンテンツの欠落終了地点で有った場合には、１セグメントコンテンツの再生を１２セグメントコンテンツの再生に切り換える（Ｓ４０６）。一方、ＣＰＵ１０８は、１２セグメントのコンテンツの欠落終了地点で無かった場合には、１セグメントコンテンツの再生を継続する（Ｓ４０７）
その後、ＣＰＵ１０８はコンテンツの再生が終了したかを判断する（Ｓ４０８）。コンテンツの再生が終了していない場合は、再び、再生中のコンテンツが１２セグメントコンテンツであるかを判断する（Ｓ４０１）。コンテンツの再生が終了した場合には、１２セグメント録画コンテンツと１セグメント録画コンテンツの自動切換え再生制御を終了する。
【００３２】
次にチャプタの付いていない１セグメントコンテンツをモバイル機器で視聴するためにメモリカードなどにダビングする場合、１２セグメントコンテンツのＣＭ情報や再生レジューム情報などのチャプタ情報を引き継ぐ方法について説明する。
【００３３】
チャプタ情報は、そのチャプタ情報が付与されている地点が再生開始時刻からどれだけ経過しているかに関する時間情報により管理されている。１２セグメントのコンテンツのチャプタ情報を１セグメントコンテンツに移す場合に、１２セグメントコンテンツ及び１セグメントコンテンツに欠落区間が無い場合には、１２セグメントコンテンツのチャプタ情報を１セグメントコンテンツに移せば良い。しかし、１セグメントコンテンツもしくは１２セグメントコンテンツに欠落期間が存在しているときには、チャプタ情報はそのチャプタ情報が付与されている地点が再生開始時刻からどれだけ経過しているかに関する時間情報により管理されていることから、編集をせずにそのままチャプタ情報を移した場合には、１２セグメントコンテンツと１セグメントコンテンツのチャプタ情報にずれが生じる。そこで、１セグメントコンテンツもしくは１２セグメントコンテンツに欠落区間が存在している場合は、編集した上で、チャプタ情報を移す必要がある。
【００３４】
つまり、本実施の形態の録画再生装置１００は、１２セグメントの放送番組と、１２セグメントの放送番組と同一チャンネルで放送され符号化方式の異なる同一コンテンツである１セグメントの放送番組を受信して同時に録画可能な録画再生装置１００であって、１２セグメントの放送番組および１セグメントの放送番組を受信可能なアンテナ１０１、チューナ１０２及び復調部１０３と、アンテナ１０１、チューナ１０２及び復調部１０３で受信した１２セグメントの放送番組および１セグメントの放送番組を録画可能な記録部１０４と、記録部１０４に記録されている１２セグメントの放送番組または１セグメントの放送番組のいずれかを再生するＡＶデコーダ１０５及びＣＰＵ１０８と、を備え、ＡＶデコーダ１０５及びＣＰＵ１０８が記録部１０４に記録されている１２セグメントの放送番組を再生している場合において、その再生している１２セグメントの放送番組に欠落区間が存在する場合においては、ＡＶデコーダ１０５及びＣＰＵ１０８は、その欠落区間を再生する場合において、１２セグメントの放送番組に代えて１セグメントの放送番組を再生する。
【００３５】
つまり本実施の形態の録画再生装置１００は、１２セグメントのコンテンツを再生しているときに、その１２セグメントのコンテンツの記録時に受信環境が変化した場合であっても、１セグメントのコンテンツに切り換えて再生することができる。したがってユーザーは記録時に放送の受信感度が悪くなり、１２セグメントのコンテンツに欠落期間が生じた場合であっても、１セグメントのコンテンツに自動的に切り替わるので、録画再生装置１００はそのコンテンツを再生し続けることができる。
【００３６】
また、本実施の形態の録画再生装置１００は、ＡＶデコーダ１０５及びＣＰＵ１０８は、１２セグメントの放送番組の欠落区間が終了した場合には、１セグメントの放送番組に代えて１２セグメントの放送番組を再生する。したがって、１セグメントの放送番組を再生時に、記録時の受信環境が変化し１２セグメントの放送番組を記録できている状態になった場合には、１２セグメントのコンテンツに切り換えて再生することができる。したがってユーザーは記録時に放送の受信感度が良化し、１２セグメントのコンテンツに欠落期間が終了した場合には、１２セグメントのコンテンツに自動的に切り替わるので、録画再生装置１００はより高品質な画像のコンテンツを再生し続けることができる。
【００３７】
また、本実施の形態の録画再生装置１００は、記録部１０４は、１２セグメントの放送番組及び１セグメントの放送番組を記録している場合において、１２セグメントの放送番組の受信環境が変化した時刻を記録する受信悪化時刻もしくは受信良化時刻として記録する。したがって、再生時にはその受信悪化時刻もしくは受信良化時刻を用いて、適切な時刻に１２セグメントの放送番組と１セグメントの放送番組の再生を切り換えることができるので、録画再生装置１００はより高品質な画像のコンテンツを再生し続けることができる。
【００３８】
また、本実施の形態の録画再生装置１００は、ＡＶデコーダ１０５及びＣＰＵ１０８がその受信悪化時刻もしくは受信良化時刻に基づき１２セグメントの放送番組を再生するかもしく１セグメントの放送番組を再生するかを切り換える。これにより、受信悪化時刻もしくは受信良化時刻に基づき、１２セグメントの放送番組と１セグメントの放送番組とを切り換えることができるので、録画再生装置１００はより高品質な画像のコンテンツを再生し続けることができる。
【００３９】
図５は１２セグメント記録コンテンツのチャプタ情報を１セグメント記録コンテンツに引き継ぐフローチャートを示す図である。
【００４０】
まず、ＣＰＵ１０８はチャプタを移動するコンテンツの１２セグメントもしくは１セグメントに欠落区間があるかを判断する（Ｓ５０１）欠落期間が無い場合には、１２セグメントのチャプタを編集せずに１セグメントに付与する（Ｓ５０９）。
【００４１】
一方、１２セグメントもしくは１セグメントに欠落期間が有る場合には、ＣＰＵ１０８はまずチャプタ管理の為のパラメータｉを１に設定した上で（Ｓ５０２）、１２セグメントにｉ番目のチャプタ（以下、Ｃｈａｐｔｅｒ［ｉ］）はあるかを判断する。ｉ番目のチャプタが無い場合においては、チャプタ付与の動作は終了する。
【００４２】
一方、ｉ番目のチャプタがある場合においては、Ｃｈａｐｔｅｒ［ｉ−１］  とＣｈａｐｔｅｒ［ｉ］との間に１２セグメントの欠落があったかを判断する（Ｓ５０３）。なお、ｉ＝１であった場合には、コンテンツの再生開始時刻とＣｈａｐｔｅｒ［１］との間に１２セグメントの欠落があったかを判断する。
【００４３】
Ｃｈａｐｔｅｒ［ｉ−１］とＣｈａｐｔｅｒ［ｉ］との間に１２セグメントがなかった場合には、１２セグメントのコンテンツのチャプタ情報を編集をせずに１セグメントコンテンツにＣｈａｐｔｅｒ［ｉ］を付与する。Ｃｈａｐｔｅｒ［ｉ−１］  とＣｈａｐｔｅｒ［ｉ］との間に１２セグメントがあった場合には、ＣＰＵ１０８はＣｈａｐｔｅｒ［ｉ−１］  とＣｈａｐｔｅｒ［ｉ］との間に１セグメントの欠落があったかを判断する（Ｓ５０５）。なお、ｉ＝１であった場合には、コンテンツの再生開始時刻とＣｈａｐｔｅｒ［１］との間に１セグメントの欠落があったかを判断する。
【００４４】
Ｃｈａｐｔｅｒ［ｉ−１］  とＣｈａｐｔｅｒ［ｉ］との間に１セグメントの欠落があった場合には、ＣＰＵ１０８はＣｈａｐｔｅｒ［ｉ］に１２セグメント欠落区間を加算し、１セグメント欠落区間を減算し１セグメントコンテンツ用のチャプタ情報を付与する。Ｃｈａｐｔｅｒ［ｉ−１］  とＣｈａｐｔｅｒ［ｉ］との間に１セグメントの欠落が無かった場合には、Ｃｈａｐｔｅｒ［ｉ］に１２セグメント欠落区間を加算し、１セグメントコンテンツ用Ｃチャプタを付与する。１セグメントコンテンツにチャプタ情報を付与した後（Ｓ５０６、Ｓ５０７、Ｓ５１０）ＣＰＵ１０８はｉに１を加算し再び、１２セグメントにｉ番目のチャプタ（以下、Ｃｈａｐｔｅｒ［ｉ］）はあるかを判定する（Ｓ５０３）
図６は１２セグメント録画欠落発生でのチャプタ引継ぎを説明する為の概略図である。Ｃ６０１とＣ６０２はチャプタ情報を示している。Ｃ６０１のチャプタ情報は、一つ前のチャプタ（但し、本例では前のチャプタが存在しないので、再生開始時刻Ｔ６００が相当する）とＣ６０１との間に、１２セグメントコンテンツ、１セグメントコンテンツともに欠落がないため、編集をすることなく、１２セグメントコンテンツのチャプタ情報であるＣ６０１を１セグメントコンテンツのチャプタ情報であるＣ６０１‘として付与する。Ｃ６０２のチャプタ情報は、一つ前のチャプタ（Ｃ６０１相当する）とＣ６０１との間に、１２セグメントコンテンツの欠落区間はあるが、１セグメントコンテンツの欠落区間は無い。この場合、Ｃ６０２に１２セグメント欠落区間を加算し、１セグメントコンテンツ用チャプタＣ６０２‘を付与する。Ｃ６０２’はＣ６０２＋（Ｔ６０２−Ｔ６０１）により、算出することができる
図７は１２セグメント・１セグメント録画欠落発生でのチャプタ引継ぎを説明する概略図である。Ｃ７０１とＣ７０２はチャプタ情報を示している。Ｃ７０１のチャプタ情報は、一つ前のチャプタ（但し、本例では前のチャプタが存在しないので、再生開始時刻Ｔ７００が相当する）とＣ７０１との間に、１２セグメントコンテンツ、１セグメントコンテンツともに欠落がないため、編集をすることなく、１２セグメントコンテンツのチャプタ情報であるＣ７０１を１セグメントコンテンツのチャプタ情報であるＣ７０１‘として付与する。Ｃ７０２のチャプタ情報は、一つ前のチャプタ（Ｃ７０１相当する）とＣ７０１との間に、１２セグメントコンテンツおよび１セグメントコンテンツに欠落区間がある。この場合、Ｃ７０２に１２セグメント欠落区間を加算し、１セグメント欠落区間を減算し、１セグメントコンテンツ用チャプタＣ７０２‘を付与する。よってＣ７０２’はＣ７０１＋（Ｔ７０４−Ｔ７０１）−（Ｔ７０３−Ｔ７０２）の補正処理を行うことにより算出することができる。これらの処理を各チャプタやレジューム情報において実施すれば、１セグメントコンテンツに引き継ぐことを実現することができる。
【００４５】
つまり、本実施の形態の録画再生装置１００は放送番組を記録可能な記録部１０４と、記録部１０４に記録された放送番組を記録メディアにダビング可能なＣＰＵ１０８と記録媒体受付部１０９とを備え、記録部１０４に１２セグメントの放送番組と、１２セグメントの放送番組と同一チャンネルで放送され符号化方式の異なる同一コンテンツである１セグメントの放送番組が記録されており、１２セグメントの放送番組にチャプタ情報が付与されている場合において、ＣＰＵ１０８と記録媒体受付部１０９が１セグメントの放送番組をダビングする場合に、１２セグメントの放送番組に付与されているチャプタ情報に基づき、１セグメントの放送番組に対応するチャプタ情報を作成し、その作成したチャプタ情報を１セグメントの放送番組とともにダビングする。これにより、１２セグメントの放送番組に付与されたチャプタ情報を１セグメントの放送番組に容易に付与することができる。
【００４６】
また、本実施の形態の録画再生装置１００は１２セグメントの放送番組に欠落期間がある場合においては、１２セグメントの放送番組の欠落期間に関する情報及び１２セグメントの放送番組に付与されているチャプタ情報に基づき、１セグメントの放送番組に対応するチャプタ情報を作成する．これにより、１２セグメントの放送番組に受信環境に起因する欠落区間が有った場合であっても、そのチャプタ情報をずれることなく１セグメントの放送番組に付与することができる。
【００４７】
また、本実施の形態の録画再生装置１００は１セグメントの放送番組に欠落期間がある場合においては、１２セグメントの放送番組の欠落期間に関する情報、１２セグメントの放送番組の欠落期間に関する情報及び１２セグメントの放送番組に付与されているチャプタ情報に基づき、１セグメントの放送番組に対応するチャプタ情報を作成する。これにより、１セグメントの放送番組に受信環境に起因する欠落区間が有った場合であっても、１２セグメントの放送番組のチャプタ情報をずれることなく１セグメントの放送番組に付与することができる。
【００４８】
なお、本実施の形態では、１２セグメントの放送と１セグメントの放送の場合を例としているが、これはあくまで実施の形態の一例であり、これに限定されない。つまり、１２セグメントの放送と１セグメントの放送でなくとも、複数の階層を持つ階層型の放送であれば、本発明の範囲に含まれる。
【００４９】
請求項の文言と実施の形態との対応について説明する。１２セグメントの放送番組は、第１の放送番組の一例である。１セグメントの放送番組は、第２の放送番組の一例である。アンテナ１０１、チューナ１０２及び復調部１０３は、受信部の一例である。記録部１０４は、記録部の一例である。ＡＶデコーダ１０５及びＣＰＵ１０８は、再生部の一例である。受信悪化時刻もしくは受信良化時刻は、切換時刻情報の一例である。ＣＰＵ１０８および記録媒体受付部１０９は、ダビング部の一例である。
【産業上の利用可能性】
【００５０】
本発明にかかる録画再生装置は、サイマル放送の同時録画を行い、電波の受信状態により録画欠落が発生した場合、その番組を視聴する際に、自動で１２セグメント番組から１セグメント番組切り替えることができる。またある放送方式の放送番組に設定されたチャプタ情報やレジュームポイントを他の放送方式の放送番組に正確に引き継ぐことができるので、これらの放送方式を受信可能な録画装置などに有用である。
【符号の説明】
【００５１】
１００    録画再生装置
１０１    アンテナ
１０２    チューナ
１０３    復調部
１０４    記録部
１０５    ＡＶデコーダ
１０６    出力部
１０７    リモコン受光部
１０８    ＣＰＵ
１０９    記録媒体受付部
１１０    リモコン
【図１】
2010268340.tif 000003
【図２】
2010268340.tif 000004
【図３】
2010268340.tif 000005
【図４】
2010268340.tif 000006
【図５】
2010268340.tif 000007
【図６】
2010268340.tif 000008
【図７】
2010268340.tif 000009